(57)【要約】【課題】  ボタン電池の外側面形状に拘わらず、常に、安定した電気的導通を得ることが出来るボタン電池の導通端子構造を提供する。【解決手段】    金属製端子片１０の弾接片１０ｂの端部１０ｃが、略９０度、内向きに屈曲されている。  端部１０ｃのうち、ボタン電池４の外側面４ａに当接される端縁には、直線状に一定の傾斜角度αを有して、少なくとも一点で、この外側面４ａに点接触する端面１０ｄが設けられている。  また、端面１０ｄには、左，右側に位置するエッジ部のうち、一方のエッジ部１０ｅが、ボタン電池４の外側面４ａに当接するように、外側面４ａの垂線に対して、一定の角度が与えられて、弾接される。【選択図】        図１
2006221904.tif 000002
【特許請求の範囲】
【請求項１】
ボタン電池の一方の極が設けられた外側面に当接して、電気的導通を行う金属端子片を有するボタン電池の導通端子構造において、
前記金属端子片には、前記ボタン電池外側面に当接する端縁に、一定の傾斜角度を有して、少なくとも一点で、該外側面に点接触する端面が設けられていることを特徴とするボタン電池の導通端子構造。
【請求項２】
前記金属端子片は、前記端面のエッジ部を前記外側面に対して、一定の角度で弾接させることを特徴とする請求項１記載のボタン電池の導通端子構造。
【発明の詳細な説明】
【技術分野】
【０００１】
本発明は、常に、安定した電気的導通を得られるボタン電池の導通端子構造に関する。
【背景技術】
【０００２】
従来、ボタン電池の導通端子構造としては、図４乃至図６に示される様なボタン電池収納部１に設けられる金属製の導通端子片２が知られている。
【０００３】
このようなものでは、前記導通端子片２が、薄板状の長尺金属片を一部屈曲することにより、上面視略コ字状を呈するように形成されていて、ホルダ３に固定片２aが固定されることにより、左，右一対の弾接片２ｂ，２ｂが、弾性変形可能に支持されている。
【０００４】
また、略扁平円筒形形状を呈するボタン電池４の周縁には、一方の極が設けられた外側面部４ａが、環状に形成されていて、前記導通端子片２の内側面２ｃ及び２ｄ，２ｄが、数箇所（例えば、この図４，図５に示す従来例では、３箇所）で、線状に接触することにより、電気的に導通されるように構成されている。
【０００５】
次に、この従来のボタン電池の導通端子構造の作用について説明する。
【０００６】
この従来のボタン電池の導通端子構造では、前記ボタン電池収納部１内に、ボタン電池４が装着されると、前記ホルダ３に固定された導通端子片２の固定片２ａの内側面２ｃが、このボタン電池４の外側面部４ａに線状Ｌ１に接触されると共に、前記弾接片２ｂ，２ｂの内側面２ｄ，２ｄが、外側面部４ａに線状Ｌ２，Ｌ３に、各々弾接される。
【０００７】
このため、前記導通端子片２の固定片２ａ等に接続される各種電子機器に、このボタン電池４の電流が供給されるいわゆる電気的に導通された状態となる。
【特許文献１】実開平５−３６７５１号公報
【発明の開示】
【発明が解決しようとする課題】
【０００８】
しかしながら、このような従来のボタン電池の導通端子構造では、図５中破線で示されるように、導通端子片２の内側面２ｃに、前記ボタン電池４の外側面部４ａが、線状Ｌ１〜Ｌ３に接触されて、電気的に導通するように構成されているので、点状に接触するものに比して、接触面積が大きくなっていた。  
【０００９】
このため、電池表面に付着した汚れや或いは、表面の酸化等の状態変化が、導電性に影響を与えて、接触抵抗を増大させてしまう虞があった。
【００１０】
また、図６中、実線、一点鎖線、二点鎖線等で示されるように、前記ボタン電池４の側面部４ａの形状は、外形寸法ｄ１の規格サイズのみ定められているに留まり、詳細な形状については、規格が設けられていない。
【００１１】
このため、各ボタン電池の製造メーカーによって、この側面部４ａの形状が異なり、導通端子片２の内側面２ｃを、前記ボタン電池４の外側面部４ａに対して、常に、同一面積で、線接触させることは出来なかった。
【００１２】
そこで、本発明は、かかる課題を解決するためなされたもので、ボタン電池の外側面形状に拘わらず、常に、安定した電気的導通を得ることが出来るボタン電池の導通端子構造を提供することを目的とする。
【課題を解決するための手段】
【００１３】
前記課題を解決するため本発明の請求項１に係る発明では、ボタン電池の一方の極が設けられた外側面に当接して、電気的導通を行う金属端子片を有するボタン電池の導通端子構造において、前記金属端子片には、前記ボタン電池外側面に当接する端縁に、一定の傾斜角度を有して、少なくとも一点で、該外側面に点接触する端面が設けられているボタン電池の導通端子構造を特徴としている。
【００１４】
また、請求項２に記載されたものは、前記金属端子片は、前記端面のエッジ部を前記外側面に対して、一定の角度で弾接させる請求項１記載のボタン電池の導通端子構造を特徴としている。
【発明の効果】
【００１５】
このように構成された本発明の請求項１に記載のものは、ボタン電池の一方の極が設けられた外側面に当接して、電気的導通を行う金属端子片に設けられた端面が、一定の傾斜角度を有している。
【００１６】
このため、前記ボタン電池の外側面形状が、様々な形状を呈していても、少なくとも一点で、該外側面に、端面が点接触するので、表面の状態の影響を受けにくい。
【００１７】
従って、接触抵抗の増大が抑制されて、常に、安定した電気的導通を得ることが出来る。
【００１８】
また、請求項２に記載されたものは、前記金属端子片の端面に形成されたエッジ部が、前記ボタン電池の外側面に弾接されて、擦過により、該外側面の表面に付着した汚れや、酸化被膜が破られて除去される。
【００１９】
このため、点接触されている部分の外表面は、常に金属面が露出されている状態となるので、接触抵抗の増大が抑制されて、常に、安定した電気的導通を得ることが出来る。
【発明を実施するための最良の形態】
【００２０】
以下、図１乃至図３を用いて、発明を実施するための最良の形態を実施例に基づいて説明する。なお、前記従来例と同一乃至均等な部分については、同一符号を付して説明する。
【００２１】
まず、構成から説明すると、この実施の形態のボタン電池の導通端子構造は、図１に示すように、略扁平円筒形形状を呈するボタン電池４を装着するボタン電池収納部１に設けられて、金属製の導体から主に構成される金属端子片１０を有していて、この金属端子片１０に接続される各種電子機器に、このボタン電池４の電流が供給されるように構成されるものである。
【実施例１】
【００２２】
この実施例１の金属製端子片１０は、薄板状の長尺金属片を一部屈曲することにより、前記従来と同様に、図示省略のホルダに固定される固定片１０aから、一体となるように延設される弾接片１０ｂが、面内外方向に弾性変形可能に支持されている。
【００２３】
更に、この実施例１のボタン電池の導通端子構造では、図２に示すように、この金属製端子片１０の弾接片１０ｂの端部１０ｃが、略９０度、内向きに屈曲されている。
【００２４】
そして、この端部１０ｃのうち、前記ボタン電池４の外側面４ａに当接される端縁には、図１に示すように、直線状に一定の傾斜角度αを有して、少なくとも一点で、この外側面４ａに点接触する端面１０ｄが設けられている。
【００２５】
また、この実施例１の端面１０ｄには、左，右側に位置するエッジ部のうち、一方のエッジ部１０ｅが、前記ボタン電池４の外側面４ａに当接するように、前記外側面４ａの垂線Ｖに対して、一定の角度βが与えられて、弾接されるように構成されている。
【００２６】
次に、この実施例１のボタン電池の導通端子構造の作用について説明する。
【００２７】
このように構成された本発明の実施例１に記載のボタン電池の導通端子構造は、前記ボタン電池４が、前記ボタン電池収納部１内に装着されると、ボタン電池４の一方の極が設けられた外側面４ａに、前記金属端子片１０の端面１０ｄが当接して、電気的導通が行われる。
【００２８】
この実施例１では、図１に示されるように、前記金属端子片１０に設けられた端面１０ｄが、一定の傾斜角度αを有している。
【００２９】
このため、前記ボタン電池４の外側面４ａの形状が、製造メーカー毎に様々な形状を呈していても、少なくとも一点で、この外側面４ａに、端面１０ｄが点接触するので、表面の状態の影響を受けにくい。
【００３０】
従って、接触抵抗の増大が抑制されて、常に、安定した電気的導通を得ることが出来る。
【００３１】
また、この実施例１では、図２に示すように、前記金属端子片１０の端面１０ｄに形成されたエッジ部１０ｅが、前記ボタン電池４の外側面４ａに弾接される。
【００３２】
このエッジ部１０ｅは、先端を略直角としているので、円筒形状のボタン電池４の外側面部４ａであっても、小さな面積で当接される。
【００３３】
このため、エッジ部１０ｅによる擦過により、この外側面部４ａの表面に付着した汚れが除去されると共に、酸化被膜が、破られて除去される。
【００３４】
従って、このエッジ部１０ｅが点接触されている部分の外表面は、常に金属面が露出されている状態となるので、接触抵抗の増大が抑制されて、常に、安定した電気的導通を得ることが出来る。
【００３５】
以上、この発明の実施の形態を図面により詳述してきたが、具体的な構成は、この実施の形態に限らず、この発明の要旨を逸脱しない範囲の設計の変更等があってもこの発明に含まれる。
【００３６】
例えば、前記実施の形態のボタン電池の導通端子構造では、直線状に一定の傾斜角度αを有する端面１０ｄが設けられているが、特にこれに限らず、例えば、凸状に湾曲形成される等、一定の傾斜角度αを有して、少なくとも一点で、前記ボタン電池４の外側面４ａに点接触するものであれば、どのような形状を呈するものであってもよい。  
【図面の簡単な説明】
【００３７】
【図１】本発明の実施の形態の実施例１に係るボタン電池の導通端子構造で、要部の構成を説明する図２中矢視Ａ方向から見た正面図である。
【図２】実施例１のボタン電池の導通端子構造で、ボタン電池収納部を上方から見た平面図である。
【図３】実施例１のボタン電池の導通端子構造で、金属製端子片の構成を説明する斜視図である。
【図４】従来例のボタン電池の導通端子構造で、全体の構成を説明するボタン電池収納部を上方から見た平面図である。
【図５】従来例のボタン電池の導通端子構造で、端子片が線接触している様子を説明するボタン電池収納部の斜視図である。
【図６】一般的なボタン電池の側面部の各種形状を、実線、一点鎖線及び二点鎖線で示す要部の正面図である。
【符号の説明】
【００３８】
１                ボタン電池収納部
４                ボタン電池
４ａ              外側面部
１０              金属製端子片
１０ｃ            端部
１０ｄ            端面
１０ｅ            エッジ部
α                傾斜角度
β                角度
【図１】
2006221904.tif 000003
【図２】
2006221904.tif 000004
【図３】
2006221904.tif 000005
【図４】
2006221904.tif 000006
【図５】
2006221904.tif 000007
【図６】
2006221904.tif 000008